(57)【要約】      （修正有）【課題】階層構造で構成される設定メニュー画面における設定項目の詳細設定時のユーザの操作性の向上を図ることができる画像処理装置等を提供する。【解決手段】タッチパネルで構成され、表示画面に表示された設定メニュー画面における設定項目の中からユーザが所望の設定項目をタッチ操作で選択した際に、階層構造の設定メニュー画面の中から前記選択された設定項目の詳細を設定するための設定メニュー画面を開いて表示する表示手段５２と、表示されている設定項目をユーザが選択した時の指の本数を判定する選択方法判定手段と、判定された指の本数に対応して、次に開く設定メニュー画面の階層を決定する階層決定手段と、任意の設定メニューの階層を前記表示手段の画面に表示可能に制御するとともに、前記階層決定手段で決定された階層の設定メニュー画面を、表示手段に表示させる表示制御手段を備えている。【選択図】図１
2013232120.tif 000002
【特許請求の範囲】
【請求項１】
タッチパネルで構成され、表示画面に表示された設定メニュー画面における設定項目の中からユーザが所望の設定項目をタッチ操作で選択した際に、階層構造の設定メニュー画面の中から前記選択された設定項目の詳細を設定するための設定メニュー画面を開いて表示する表示手段と、
前記表示手段に表示されている前記設定項目をユーザが選択した時の指の本数を判定する選択方法判定手段と、
前記選択方法判定手段で判定された指の本数に対応して、次に開く設定メニュー画面の階層を決定する階層決定手段と、
任意の設定メニューの階層を前記表示手段の画面に表示可能に制御するとともに、前記階層決定手段で決定された階層の設定メニュー画面を、表示手段に表示させる表示制御手段と、
を備えたことを特徴とする画像処理装置。
【請求項２】
前記階層決定手段は、前回にユーザが設定項目の詳細を設定した設定メニュー画面の中から、次に開く設定メニュー画面の階層を決定する請求項１に記載の画像処理装置。
【請求項３】
最上位階層の設定メニューにおけるいずれかの設定項目について、ユーザが途中階層までを決定し、それ以降の階層は自動で決定されている場合において、
ユーザが最上位階層で再度、その設定項目を選択した時に、前記選択方法決定手段がユーザが設定した階層よりも下位の階層が指定されたと判定した場合、前記階層決定手段は、ユーザが設定した最後の階層を次に開く設定メニュー画面の階層として決定する請求項１または２に記載の画像処理装置。
【請求項４】
特定動作を実行したか否かを判定する特定動作判定手段を備え、
前記階層決定手段は、前記特定動作判定手段の判定結果に基づいて、次に開く設定メニュー画面の階層を決定する請求項１に記載の画像処理装置。
【請求項５】
ユーザが前記表示手段の表示画面をタッチ操作した時の情報を記憶する操作記憶手段を備え、
前記階層決定手段は、ユーザが設定項目を選択した際、該設定項目の詳細がユーザによって一度も設定されていない場合には、前記操作記憶手段の記憶内容から過去にユーザが頻繁に使う機能を候補として決定し、その候補に対応する設定メニュー画面の階層を次に開く設定メニュー画面の階層として決定する請求項１に記載の画像処理装置。
【請求項６】
前記表示制御手段は、ユーザが設定項目を選択した際、該設定項目の詳細がユーザによって一度も設定されていない場合には、その設定項目に属する全ての下位階層の設定メニュー画面をそれぞれ開くためのキーを表示手段に表示させ、ユーザがいずれかのキーを選択することにより該当の設定メニュー画面を表示させる請求項１に記載の画像処理装置。
【請求項７】
前記階層決定手段は、ユーザが設定メニュー画面における設定項目を選択した際、前記選択方法決定手段によって判定された指の数より設定メニュー画面の階層の数が少ない場合には、最下層の設定メニュー画面を次に開く設定メニュー画面の階層として決定する請求項１に記載の画像処理装置。
【請求項８】
タッチパネルで構成され、表示画面に表示された設定メニュー画面における設定項目の中からユーザが所望の設定項目をタッチ操作で選択した際に、階層構造の設定メニュー画面の中から前記選択された設定項目の詳細を設定するための設定メニュー画面を開いて表示する表示手段を備えた画像処理装置で実行される設定メニュー画面の表示方法であって、
前記表示手段に表示されている前記設定項目をユーザが選択した時の指の本数を判定する選択方法判定ステップと、
前記選択方法判定ステップにおいて判定された指の本数に対応して、次に開く設定メニュー画面の階層を決定する階層決定ステップと、
任意の設定メニューの階層を前記表示手段の画面に表示可能に制御するとともに、前記階層決定ステップにおいて決定された階層の設定メニュー画面を、表示手段に表示させる表示制御ステップと、
を備えたことを特徴とする設定メニュー画面の表示方法。
【請求項９】
タッチパネルで構成され、表示画面に表示された設定メニュー画面における設定項目の中からユーザが所望の設定項目をタッチ操作で選択した際に、階層構造の設定メニュー画面の中から前記選択された設定項目の詳細を設定するための設定メニュー画面を開いて表示する表示手段を備えた画像処理装置のコンピュータに実行させるための設定メニュー画面の表示プログラムであって、
前記表示手段に表示されている前記設定項目をユーザが選択した時の指の本数を判定する選択方法判定ステップと、
前記選択方法判定ステップにおいて判定された指の本数に対応して、次に開く設定メニュー画面の階層を決定する階層決定ステップと、
任意の設定メニューの階層を前記表示手段の画面に表示可能に制御するとともに、前記階層決定ステップにおいて決定された階層の設定メニュー画面を、表示手段に表示させる表示制御ステップと、
を前記コンピュータに実行させるための設定メニュー画面の表示プログラム。
【発明の詳細な説明】
【技術分野】
【０００１】
この発明は、ユーザが操作パネル部におけるタッチパネル画面をタッチ操作して各種設定メニューの詳細を設定可能な多機能デジタル画像形成装置であるＭＦＰ（Multi Function Peripherals) 等に用いられる画像処理装置、該装置で実行される設定メニュー画面の表示方法及び表示プログラムに関する。
【背景技術】
【０００２】
近年、例えばＭＦＰでは、操作パネル部における表示部がタッチパネルで構成されたものが普及している。そのタッチパネルの画面に、例えば原稿設定、画質設定、仕上がり設定等の設定項目が表示された設定メニュー画面が開かれた状態で、ユーザが設定項目に対応する所望のキーをタッチ操作で選択することにより、設定項目に関する詳細を設定できるようになっている。
【０００３】
このような設定メニュー画面においては、ユーザがある設定項目を選択すれば、その設定項目に関する詳細な設定を行うための下位階層の設定メニュー画面が開かれる階層構造となっているのが一般的である。
【０００４】
また、従来、設定メニュー画面において、設定キーを所定時間以上継続して操作（長押し）した時には、最下位階層の画面を表示するようにした技術が提案されている（例えば、特許文献１参照）。
【先行技術文献】
【特許文献】
【０００５】
【特許文献１】特開２００７−２０７１８６号公報
【発明の概要】
【発明が解決しようとする課題】
【０００６】
ところで、従来のように、詳細設定を行なう設定メニュー画面が階層構造になっていると、階層が深くなる程、ユーザの操作負担が大きくなる。
【０００７】
例えば、印刷出力処理について、階層の上位から順に、「仕上がり」＞「ステ−プル」＞「コーナー」＞「右上」といった設定がある。この時、ユーザが第三階層目の「コーナー」の項目を「右上」から「二点」に変更したい時には、最上位階層に戻って再度、「仕上がり」＞「ステ−プル」＞「コーナー」＞「二点」というように設定しなければならず、操作が二度手間のようになって面倒である。
【０００８】
また、前記した先行技術においては、ユーザは、設定メニュー画面から設定キーを所定時間以上押下した時には、最下層の画面を表示させることができるが、途中階層のメニューを開くことができず、ユーザの操作負担が解決されるものではない。
【０００９】
この発明は、上記実情に鑑みてなされたものであり、階層構造で構成される設定メニュー画面における設定項目の詳細設定時のユーザの操作性の向上を図ることができる画像処理装置を提供し、さらには前記画像処理装置で実行される設定メニュー画面の表示方法及び表示プログラムを提供することを課題としている。
【課題を解決するための手段】
【００１０】
上記課題は、以下の手段によって解決される。
（１）タッチパネルで構成され、表示画面に表示された設定メニュー画面における設定項目の中からユーザが所望の設定項目をタッチ操作で選択した際に、階層構造の設定メニュー画面の中から前記選択された設定項目の詳細を設定するための設定メニュー画面を開いて表示する表示手段と、前記表示手段に表示されている前記設定項目をユーザが選択した時の指の本数を判定する選択方法判定手段と、前記選択方法判定手段で判定された指の本数に対応して、次に開く設定メニュー画面の階層を決定する階層決定手段と、任意の設定メニューの階層を前記表示手段の画面に表示可能に制御するとともに、前記階層決定手段で決定された階層の設定メニュー画面を、表示手段に表示させる表示制御手段と、を備えたことを特徴とする画像処理装置。
（２）前記階層決定手段は、前回にユーザが設定項目の詳細を設定した設定メニュー画面の中から、次に開く設定メニュー画面の階層を決定する前項１に記載の画像処理装置。
（３）最上位階層の設定メニューにおけるいずれかの設定項目について、ユーザが途中階層までを決定し、それ以降の階層は自動で決定されている場合において、ユーザが最上位階層で再度、その設定項目を選択した時に、前記選択方法決定手段がユーザが設定した階層よりも下位の階層が指定されたと判定した場合、前記階層決定手段は、ユーザが設定した最後の階層を次に開く設定メニュー画面の階層として決定する前項１または２に記載の画像処理装置。
（４）特定動作を実行したか否かを判定する特定動作判定手段を備え、前記階層決定手段は、前記特定動作判定手段の判定結果に基づいて、次に開く設定メニュー画面の階層を決定する前項１に記載の画像処理装置。
（５）ユーザが前記表示手段の表示画面をタッチ操作した時の情報を記憶する操作記憶手段を備え、前記階層決定手段は、ユーザが設定項目を選択した際、該設定項目の詳細がユーザによって一度も設定されていない場合には、前記操作記憶手段の記憶内容から過去にユーザが頻繁に使う機能を候補として決定し、その候補に対応する設定メニュー画面の階層を次に開く設定メニュー画面の階層として決定する前項１に記載の画像処理装置。
（６）前記表示制御手段は、ユーザが設定項目を選択した際、該設定項目の詳細がユーザによって一度も設定されていない場合には、その設定項目に属する全ての下位階層の設定メニュー画面をそれぞれ開くためのキーを表示手段に表示させ、ユーザがいずれかのキーを選択することにより該当の設定メニュー画面を表示させる前項１に記載の画像処理装置。
（７）前記階層決定手段は、ユーザが設定メニュー画面における設定項目を選択した際、前記選択方法決定手段によって判定された指の数より設定メニュー画面の階層の数が少ない場合には、最下層の設定メニュー画面を次に開く設定メニュー画面の階層として決定する前項１に記載の画像処理装置。
（８）タッチパネルで構成され、表示画面に表示された設定メニュー画面における設定項目の中からユーザが所望の設定項目をタッチ操作で選択した際に、階層構造の設定メニュー画面の中から前記選択された設定項目の詳細を設定するための設定メニュー画面を開いて表示する表示手段を備えた画像処理装置で実行される設定メニュー画面の表示方法であって、前記表示手段に表示されている前記設定項目をユーザが選択した時の指の本数を判定する選択方法判定ステップと、前記選択方法判定ステップにおいて判定された指の本数に対応して、次に開く設定メニュー画面の階層を決定する階層決定ステップと、任意の設定メニューの階層を前記表示手段の画面に表示可能に制御するとともに、前記階層決定ステップにおいて決定された階層の設定メニュー画面を、表示手段に表示させる表示制御ステップと、を備えたことを特徴とする設定メニュー画面の表示方法。
（９）タッチパネルで構成され、表示画面に表示された設定メニュー画面における設定項目の中からユーザが所望の設定項目をタッチ操作で選択した際に、階層構造の設定メニュー画面の中から前記選択された設定項目の詳細を設定するための設定メニュー画面を開いて表示する表示手段を備えた画像処理装置のコンピュータに実行させるための設定メニュー画面の表示プログラムであって、前記表示手段に表示されている前記設定項目をユーザが選択した時の指の本数を判定する選択方法判定ステップと、前記選択方法判定ステップにおいて判定された指の本数に対応して、次に開く設定メニュー画面の階層を決定する階層決定ステップと、任意の設定メニューの階層を前記表示手段の画面に表示可能に制御するとともに、前記階層決定ステップにおいて決定された階層の設定メニュー画面を、表示手段に表示させる表示制御ステップと、を前記コンピュータに実行させるための設定メニュー画面の表示プログラム。
【発明の効果】
【００１１】
前項（１）に記載の発明によれば、表示手段に表示されている設定メニュー画面の設定項目をユーザが選択した時の指の本数が判定され、判定結果から次に開く設定メニュー画面の階層が決定され、その決定された階層の設定メニュー画面が前記表示手段に表示される。従って、ユーザが下位の階層において設定項目を変更したい時に、目的の階層の設定メニュー画面を速やかに開くことができ、ユーザによる設定項目の詳細設定時の操作負担を軽減することができる。
【００１２】
前項（２）に記載の発明によれば、前回にユーザが設定項目の詳細を設定した設定メニュー画面の中から、次に開く設定メニュー画面の階層が決定されるので、再度、最上位階層の設定メニュー画面から設定をやり直すのに比べて、操作性が改善される。
【００１３】
前項（３）に記載の発明によれば、最上位階層の設定メニューにおけるいずれかの設定項目について、ユーザが途中階層までを決定し、それ以降の階層は自動で決定されている場合において、ユーザが最上位階層で再度、その設定項目を選択した時に、ユーザが設定した階層よりも下位の階層が指定されたと判定されると、ユーザが設定した最後の階層の設定メニュー画面が表示される。
【００１４】
前項（４）に記載の発明によれば、特定動作が実行されたか否かのが判定結果に基づいて、次に開く設定メニュー画面の階層が決定されるので、変更操作を簡単に行える。
【００１５】
前項（５）に記載の発明によれば、ユーザが表示画面をタッチ操作した時の情報が操作記憶手段に記憶され、ユーザが設定項目を選択した際、該設定項目の詳細がユーザによって一度も設定されていない場合には、前記操作記憶手段の記憶内容から過去にユーザが頻繁に使う機能が候補として決定され、その候補に対応する設定メニュー画面の階層が次に開く設定メニュー画面の階層となる。つまり、ユーザによって何も設定されていない状態で設定項目の二層目以降を開く場合でも、記憶情報からユーザが選択した回数が最も多い設定項目の階層が次に開く設定メニュー画面の階層として決定される。
【００１６】
前項（６）に記載の発明によれば、ユーザが設定項目を選択した際、その設定項目の詳細が一度も設定されていない場合、その設定項目に属する全ての下位階層の設定メニュー画面をそれぞれ開くためのキーが表示手段に表示されるので、ユーザが表示されたキーの中から所望のキーを選択すれば、そのキーに対応する設定メニュー画面が表示されるから、詳細設定を簡単に行える。
【００１７】
前項（７）に記載の発明によれば、ユーザが設定メニュー画面における設定項目を選択した際の指の本数よりも設定メニュー画面の階層の数が少ない場合には、最下層の設定メニュー画面が表示される。
【００１８】
前項（８）に記載の発明によれば、従って、ユーザが下位の階層において設定項目を変更したい時に、目的の階層の設定メニュー画面を速やかに開くことができ、ユーザによる設定項目の詳細設定時の操作負担を軽減することができる。
【００１９】
前項（９）に記載の発明によれば、従って、ユーザが下位の階層において設定項目を変更したい時に、目的の階層の設定メニュー画面を速やかに開くことができ、ユーザによる設定項目の詳細設定時の操作負担を軽減することができる処理を、画像処理装置のコンピュータに実行させることができる。
【図面の簡単な説明】
【００２０】
【図１】この発明の一実施形態に係る画像処理装置であるＭＦＰの電気的構成を示すブロック図である。
【図２】同じくＭＦＰの操作パネル手段の表示制御を行うための機能構成を示すブロック図である。
【図３】画面に表示された設定メニュー画面における設定項目をユーザが選択操作した際に設定メニュー画面が遷移する階層構造の説明図である。
【図４】画面に表示された設定メニュー画面における設定項目をユーザが指でタッチして選択した際の指の本数を判定した結果から、次に開く設定メニュー画面の階層を決定して表示させる場合の説明図である。
【図５】選択方法判別手段により選択方法を決定した結果から、次に開く階層を決定して表示する場合の処理の流れを示すフローチャートである。
【図６】ユーザが途中階層までを設定し、以降の設定を自動的に決定する場合の説明図である。
【図７】ユーザが途中階層までを設定し、以降の設定を自動的に決定する場合の処理の流れを示すフローチャートである。
【図８】「仕上がり」プレビューの実行の有無の判定結果から次に開く階層を決定する場合の説明図である。
【図９】設定メニュー画面における設定項目選択キーと設定画面の階層との関係を示すテーブルである。
【図１０】「仕上がり」プレビューの実行を特定動作とし、その特定動作の実行の有無の判定結果から次に開く階層を決定する場合の処理の流れを示すフローチャートである。
【図１１】ユーザの操作履歴から設定項目の中で最も多い設定値を階層毎に示すテーブルである。
【図１２】設定項目の詳細がユーザによって過去に設定されていない場合、ユーザが頻繁に使う機能を候補とし、それに対応する設定メニュー画面の階層を次に開く設定メニューの階層として決定する例の説明図である。
【図１３】ユーザによって詳細設定がなされていない状態で設定項目が選択された際、その設定項目の下位層に属する設定項目を全て表示する場合の説明図である。
【発明を実施するための形態】
【００２１】
以下、この発明の実施形態を図面に基づいて説明する。
【００２２】
図１は、この発明の一実施形態に係る画像処理装置であるＭＦＰの電気的構成を示すブロック図である。
【００２３】
図１において、このＭＦＰは、ＣＰＵ１と、ＲＯＭ２と、ＲＡＭ３と、スキャナ部４と、操作パネル部５と、記憶部６と、プリンタ部７と、外手段インターフェース部８と、後処理部９とを備えている。
【００２４】
前記ＣＰＵ１は、ＭＦＰの全体の動作を統括制御するものである。例えば、この実施形態では、操作パネル部５の表示部５２に、ユーザがＭＦＰの動作モード等を設定するための設定メニュー画面を表示させたり、設定されたモードに従ってＭＦＰを動作させる。
【００２５】
前記ＲＯＭ２は、ＣＰＵ１の動作プログラム等が格納されたメモリである。
【００２６】
前記ＲＡＭ３は、前記ＣＰＵ１が動作プログラムに従って動作する際の作業領域を提供するメモリである。
【００２７】
前記スキャナ部４は、図示しない原稿台に載置された原稿やＡＤＦで送給された原稿の画像を読み取って画像データを出力するものである。
【００２８】
前記操作パネル部５は、図示しないスタートキーや各種キー等を有するキー部５１と、各種データ等を表示可能な表示部５２とを備えている。表示部５１は、ユーザが画面からタッチ操作可能なタッチパネルで構成されている。
【００２９】
前記記憶部６は、ジョブデータ等の各種データを保存したり、各種アプリケーションを格納するものであり、例えばＨＤＤ等からなる。
【００３０】
前記プリンタ部７は、前記スキャナ部４で読み取った信号を処理した画像データやユーザ端末から送信された画像データ等を、ジョブ条件に従って用紙等の媒体に印刷する印刷エンジン部である。
【００３１】
前記外部インターフェース部８は、他のＭＦＰやユーザ端末等の外部機器と通信を行うためのインターフェースである。
【００３２】
前記後処理部９は、印刷済みの用紙にステープル、パンチ、折り加工などの後処理を実施するものであり、これらの設定は、表示部５２の画面に表示された設定メニュー画面における設定項目をユーザが選択することにより行われる。
【００３３】
図２は、前記操作パネル部５の表示制御を行うための機能構成を示すブロック図であり、選択方法判定部１１と、階層決定部１２と、表示制御部１３と、操作記憶部１４とからなる。
【００３４】
前記選択方法判定部１１は、表示部５２の画面、例えば図３の設定メニュー画面１００に表示されている設定項目のキー（例えば図３に示す「仕上がり」のキー２４等）をユーザがタッチ（押下）して選択した時の指の本数を判定するものである。
【００３５】
また、この選択方法判定部１１は、「仕上がり」プレビューの実行を特定動作とした場合、その実行の有無を判定する特定動作判定部としても機能する。
【００３６】
前記階層決定部１２は、前記選択方法判定部１１で判定された指の本数に対応して表示する設定画面の階層を決定するものである。
【００３７】
前記表示制御部１３は、任意の設定メニューの階層を前記表示部５２の画面に表示させる。特にこの実施形態では、ユーザが最上位階層の設定メニュー画面に表示された任意の設定項目を選択した時の指の本数を前記選択方法判定部１１が判定し、その判定結果から前記階層決定部１２が次に開く設定メニュー画面の階層を決定した際、決定された階層の画面を前記表示部５２に表示させる。
【００３８】
前記操作記憶部１４は、複数のユーザが設定項目のキーをタッチした時の情報を記憶するものである。例えば、あるユーザが設定項目のキーをタッチした際、該設定項目の詳細がそのユーザによって一度も設定されていない場合には、この操作記憶部１４の記憶内容から過去に複数のユーザが頻繁に使つた機能が候補として選定され、それに対応する階層の設定メニュー画面が次に開く設定メニュー画面として決定される。
【００３９】
図３（Ａ）〜（Ｄ）は、表示部５２に表示された設定メニュー画面における設定項目をユーザが選択操作した際に、設定メニュー画面が遷移する階層構造の説明図である。
【００４０】
図３（Ａ）では、最上位（ＴＯＰ）階層の設定メニュー画面１００が表示されている。この最上位階層の画面１００には、各種設定項目のキー（以下、設定キーともいう）が表示されるが、ここでは、例えば「カラー」、「原稿」、「画質」および「仕上がり」の４つの設定項目にそれぞれ対応する設定キー２１，２２，２３，２４が表示されている。
【００４１】
ユーザが、例えば「仕上がり」キー２４をタッチ（押下）して選択すれば、図３（Ｂ）の設定メニュー画面１０１に遷移して、「仕上がり」の種類を設定するための第１階層目の設定メニュー画面が表示される。
【００４２】
この階層の設定メニュー画面１０１には、例えば、「仕上がり」の種類を示す「パンチ」、「ステープル」、「折り」にそれぞれ対応する設定キー２４Ａ，２４Ｂ，２４Ｃが表示領域２４に表示されており、さらに「ＯＫ」キー４１と「戻る」キー４２が表示されている。
【００４３】
ユーザが例えば「ステープル」キー２４Ｂをタッチして選択すると、小画面３０にはステープラー３０Ａがイラスト表示される。この状態で、「ＯＫ」キー４１をタッチすれば、「仕上がり」の種類として「ステープル」が設定される。そして、「ステープル」の種類設定を行なうために、図３（Ｃ）の設定メニュー画面１０２が次の第２階層目の設定メニュー画面として表示される。
【００４４】
この画面１０２には、「ステープル」の種類である印刷物の綴じ位置を選択する「コーナー」、「二点」にそれぞれに対応する設定キー２４１，２４２が、表示領域２４Ｂに表示されている。
【００４５】
この設定メニュー画面１０２において、ユーザが例えば「コーナー」キー２４１をタッチして選択すると、小画面３０には、印刷物Ｍの左上に綴じ位置を示す印３０Ｂが表示される。この状態で「ＯＫ」キー４１をタッチすれば、ステープルの種類として「コーナー」が設定される。また、「コーナー」の位置についての詳細設定を行なうために、図３（Ｄ）の設定メニュー画面１０３が次の第３階層目の設定メニュー画面として表示される。
【００４６】
この設定メニュー画面１０３には、「コーナー」について綴じ位置の詳細設定を行うための「左上」キー２４１Ａと「右上」キー２４１Ｂが表示されている。
【００４７】
この画面１０２において、ユーザが例えば「右上」キー２４１Ｂをタッチ（押下）して選択すると、小画面３０には、印刷物Ｍの右上に綴じ位置を示す印３０Ｃが表示される。この状態で「ＯＫ」キー４１をタッチ（押下）すれば、「仕上がり」＞「ステープル」＞「コーナー」＞「右上」が設定される。
【００４８】
この状態で、ユーザがジョブを実行した場合、後処理部９により、印刷物の右上コーナーにステープルが施されることになる。
【００４９】
図４（Ａ）〜（Ｃ）は、画面に表示された設定メニュー画面の設定項目をユーザが指でタッチして選択した際の指の本数を判定した結果から、次に開く設定メニュー画面の階層を決定して表示させる場合の説明図である。
【００５０】
ここでは、ユーザによって前回、「仕上がり」＞「ステープル」＞「コーナー」＞「右上」が既に設定されているものとし、今回、ユーザは、「ステープル」の種類を「コーナー」ではなく、「二点」に変更することとする。
【００５１】
今回、図４（Ａ）に示すように、最上位階層の設定メニュー画面１００に、例えば「カラー」、「原稿」、「画質」および「仕上がり」の４つの設定項目にそれぞれ対応して設定キー２１，２２，２３，２４が表示されている状態で、ユーザが「仕上がり」キー２４を２本指でタッチ（押下）して選択したものとする。
【００５２】
その場合、選択方法判定部１１では、「仕上がり」キー２４がタッチして選択されたことと、２本指でタッチされたことを検出・判定し、その判定結果が前記階層決定部１２に通知される。
【００５３】
階層決定部１２では、設定項目が「仕上がり」で、２本指でタッチされて選択されたことの判定結果を受け、既に「仕上がり」＞「ステープル」＞「コーナー」＞「右上」が設定されていることから、最上位の設定メニュー画面の次の階層である「仕上がり」の種類を設定するための設定メニュー画面を第一階層として、第二階層目である「ステープル」の種類を設定するための設定メニュー画面を次に開く設定メニュー画面の階層として決定し、その決定を前記表示制御部１３に通知する。
【００５４】
前記表示制御部１３は、その通知を受けて、図４（Ｂ）に示すように、決定された第二階層目の設定画面である「ステープル」の種類を設定するための設定メニュー画面２０２を表示部５２に直ちに表示させる。この「ステープル」の種類を設定するための設定メニュー画面２０２には、「ステープル」についての種類を示す「コーナー」、「二点」にそれぞれに対応する設定キー２４１，２４２が表示領域２４Ｂに表示されている。
【００５５】
今回、ユーザが「ステープル」の種類を設定するための設定メニュー画面２０２で、前回設定した項目と異なる「二点」キー２４２をタッチして選択すると、小画面３０には、印刷物Ｍの左側に二点のステープル綴じ位置を示す印３００Ｂが表示される。この状態で、「ＯＫ」キー４１をタッチすると、図４（Ｃ）に示すように、次に開く第三階層目の設定メニュー画面として、「二点」の位置を設定するための設定メニュー画面２０３が表示される。この設定メニュー画面２０３には、「左」、「右」という位置にそれぞれ対応する設定キー２４２Ａ，２４２Ｂが表示領域２４２に表示されている。
【００５６】
この画面２０３で、ユーザが、例えば「右」キー２４２Ｂをタッチして選択すると、小画面３０には、印刷物Ｍの右側に二点のステープル位置を示す印３００Ｂが表示される。この状態で「ＯＫ」キー４１をタッチすると設定が完了し、図４（Ｄ）に示す画面２０４に遷移する。この画面２０４には、「仕上がり」キー２４の枠内に、「ステープル」、「二点」、「右」という各設定値が表示されている。
【００５７】
図５は、前記選択方法判別部１１によりタッチした指の本数を判定した結果から、次に開く階層を決定して表示する場合の処理の流れを示すフローチャートである。この処理及び以降のフローチャートに示す処理は、ＭＦＰのＣＯＰＵ１がＲＯＭ２等に格納されている動作プログラムに従って動作することにより実行される。
【００５８】
図５において、ステップＳ１では、表示部５２に最上位階層の設定メニュー画面１００を表示し、ステップＳ２では、その画面１００に表示されている設定キー２１〜２４のうちのいずれかのキーのユーザによる押下を受け付け、ステップＳ３に進む。この例では、図３の表示において、一度、ユーザによって、「仕上がり」＞「ステープル」＞「コーナー」＞「右上」が設定された後であるとする。
【００５９】
ステップＳ３では、選択方法判定部１１において、ユーザがタッチした設定キーとタッチした際のユーザの指の本数を判定し、その判定結果を階層決定部１２に通知する。例えば、ユーザが「仕上がり」キー２４を押下したとする。
【００６０】
階層決定部１２は、選択方法判定部１１からの判定結果を受けて、次に開く設定メニュー画面の階層を決定する。
【００６１】
設定メニュー画面の階層を決定する際に、ユーザがタッチした指の数が１本であれば、ステップＳ４１では、「仕上がり」設定に関して最上位階層の次の階層である第一階層目と決定し、ユーザがタッチした指の数が２本であれば、ステップＳ４２では、第二階層目と決定し、ユーザがタッチした指の数が３本であれば、ステップＳ４３では、第三階層目と決定して、それぞれステップＳ５に進む。つまり、ユーザがタッチした指の数がＮ本であれば、ステップＳ４４では、指の本数Ｎに応じた第Ｎ階層目と決定してから、ステップＳ５に進む。
【００６２】
ステップＳ５では、前記表示制御部１３において、階層決定部１２の決定結果を受けて、その階層のメニュー画面を表示したのち、終了する。
【００６３】
例えば、図３（Ａ）の設定メニュー画面において、ユーザによって、「仕上がり」＞「ステープル」＞「コーナー」＞「右上」が既に設定された状態であれば、「仕上がり」キーが１本の指でタッチされた場合は、第一階層目である図３（Ｂ）に示す「仕上がり」の種類を設定するための設定メニュー画面が表示され、２本指でタッチされた場合は、図３（Ｃ）に示すような第二階層目である「ステープル」の種類を設定するための設定メニュー画面１０２が直ちに表示される。３本指でタッチされた場合は、図３（Ｄ）に示すような第三階層目であるステープルの位置を設定するための設定メニュー画面１０３が直ちに表示される。
【００６４】
このように、選択方法判定部１１により、表示中の最上位の設定メニュー画面における設定項目をユーザが指でタッチして選択した際の指の本数を判定し、その判定した指の本数に応じて次に表示する設定メニュー画面の階層を決定し表示するので、例えば、ユーザが下位の階層において設定項目を変更する時に、その設定メニュー画面が直ぐに開かれることになり、上位階層から下位階層へと設定メニュー画面を順に開く必要がなくなり、ユーザによる詳細設定時の操作に係わる負担が軽減される。
【００６５】
ところで、いずれかの設定項目において、ユーザが途中階層までを設定し、以降の設定はＭＦＰで自動的に決定される場合がある。つまり、ユーザの利便性を高めるために、原稿の大きさや文章の向き等の情報から自動で設定項目を決定する機能をＭＦＰに持たせた場合である。
【００６６】
例えば、Ａ４縦の原稿で、それが複数枚であった場合、ユーザが「仕上がり」＞「ステープル」までを設定した際、以降の設定項目はＭＦＰが自動で「コーナー」＞「右上」を設定しても良い。
【００６７】
このように、ユーザが「仕上がり」設定の途中階層である「仕上がり」＞「ステープル」までを設定したとき、階層決定部１２は、ユーザ自身で設定したものが「仕上がり」＞「ステープル」であることと、以降の階層の設定である「コーナー」＞「右上」については、ＭＦＰが自動で決定したことを記憶する。
【００６８】
ここで、図６（Ａ）の画面１００の「仕上がり」キー２４をユーザが３本指でタッチしたとする。選択方法判定部１１は、「仕上がり」キー２４が選択されたことと、選択操作されたユーザの指の本数が３本指であることを判定結果として前記階層決定部１２に通知する。
【００６９】
前記階層決定部１２は、その判定結果を受け、さらに記憶した情報であるユーザによって決定されたものが「仕上がり」＞「ステープル」であることと、「コーナー」＞「右上」は、ＭＦＰが自動で決定したものであることから、ユーザによって設定された３階層目の画面はなく、従って次に開く設定メニュー画面の階層をユーザが自身で設定した最下位階層である第一階層目として決定する。決定結果を表示制御部１３に通知する。
【００７０】
前記表示制御部１３は、その決定結果を受けて、図６（Ｂ）に示すように、「仕上がり」という設定項目の第一階層目の設定メニュー画面１０１を表示する。
【００７１】
図７は、ユーザが途中階層までを設定し、以降の設定を自動的に決定する場合の処理の流れを示すフローチャートである。
【００７２】
図７において、ステップＳ１１では、表示部５２に最上位の設定メニュー画面１００を表示する。この画面１００には、実施するジョブについての設定キーが配置されている。ステップＳ１２では、ユーザが任意の設定キーを押下し、設定を行う。
【００７３】
例として、ユーザが「仕上がり」＞「ステープル」までを設定し、以降の設定項目はＭＦＰが自動で「コーナー」＞「右上」を決定したとする。
【００７４】
ここで、階層決定部１２は、ユーザが「仕上がり」＞「ステープル」までを設定したことと、ＭＦＰが自動で「コーナー」＞「右上」を決定したことを記憶する。
【００７５】
設定操作の終了後、ユーザが詳細設定を変更するために、ステップＳ１３で、最上位階層の画面１００を再度表示し、ステップＳ１４で設定キーがタッチされると、ステップＳ１５に進む。
【００７６】
ステップＳ１５では、選択方法判定部１１により、ユーザがタッチした設定キーとタッチした指の本数を判定し、その結果を階層決定部１２に通知する。例として、ユーザが「仕上がり」キー２４を３本指でタッチしたとする。
【００７７】
階層決定部１２は、選択方法判定部１１からの判定結果を受けて、次に開く設定メニュー画面の階層を決定する。
【００７８】
ユーザがタッチした指の数が１本であると判定された場合には、ステップＳ１６１では、次に表示される画面の階層を第一階層目と決定して、ステップＳ１９に進む。
【００７９】
ユーザがタッチした指の数が２本であると判定された場合には、ステップＳ１７では、既に実施されたメニューの記憶情報「仕上がり」設定に対してユーザが「仕上がり」＞「ステープル」を設定したことと、選択方法判定部１１によって通知された情報（３本指でタッチしたので第三階層目）を比較する。
【００８０】
ステップＳ１６２では、選択方法判定部１１からの判定結果より、ユーザが自身で設定した階層より下位の階層であるため、階層決定部１２は、ユーザが自身で決定した最下位層である第一階層目を次に開く設定メニュー画面の階層として決定し、決定結果を表示制御部に通知する。
【００８１】
ユーザがタッチした指の数がＮ本であれば、ステップＳ１８では、階層決定部１２は、ユーザが自身で決定した階層よりも下位階層か否かに従って、次に開く設定メニュー画面の階層として決定し、決定結果を表示制御部１３に通知する。
【００８２】
ステップＳ１９で、前記表示制御部１３は、階層決定部１２の決定結果を受けて、その階層の設定メニュー画面を表示したのち、終了する。この例では、図３（Ｂ）に示すように、「仕上がり」の種類を設定するための画面１０１を開く。
【００８３】
図８（Ａ）〜（Ｄ）は、特定動作の実行の有無の判定結果から次に開く階層を決定する場合の説明図である。特定動作として例えば「仕上がり」プレビューの実行を挙げることができる。特定動作の種類は管理者等が予め設定しておけばよい。
【００８４】
ＭＦＰは、「仕上がり」プレビューの実行を特定動作とし、その特定動作の実行の有無の判定結果から次に開く設定メニュー画面の階層を決定するために、特定動作が実行されたかどうかを判定する特定動作判定部を有している。この例では、前記選択方法判定部１１が特定動作判定部としての機能も備えている。
【００８５】
ここで、例えば、図８（Ａ）には、ユーザが「ステープル」＞「コーナー」＞「左上」の各設定を行ったときに表示される確認画面４００が表示されている。
【００８６】
ユーザは、ジョブを実行する前に希望通りの出力が得られているかを確認するために、所定のキーを押下して、図８（Ｂ）に示すように、「仕上がり」プレビューの表示画面４０１を開く。「仕上がり」プレビューの画面４０１には、印刷物Ｍの本文４０と、左上のステープルの印３００とが表示されている。この表示画面４０１からユーザは、本文４０の左上とステープル３００が重なっていることに気が付き、ステープル３００の位置を訂正する設定を行うものとする。
【００８７】
ここで、前記選択方法判定部１１が、特定動作判定部として、特定動作である「仕上がり」プレビューが実行されたか否かを判定する。「仕上がり」プレビューが実行されていることが判定された状態で、ユーザはステープル位置を変更するために、図８（Ａ）に示す画面４００において、「仕上がり」キー２４を複数本の指でタッチしたものとする。
【００８８】
前記階層決定部１２は、特定動作が実行されたことの判定結果を受けて、「仕上がり」キー２４が選択されたことから、図９に示すテーブルを参照して、「ステープル」の「コーナー位置」の設定画面を次に開く設定メニュー画面の階層として決定し、表示制御部１３に通知する。
【００８９】
表示制御部１３は、階層決定結果に従って、図８（Ｃ）に示すように、コーナー位置の設定メニュー画面４０２を表示する。ユーザは、コーナー位置の設定メニュー画面４０２において、設定値を例えば「右上」とするための「右上」キー２４１Ｂを押下する。
【００９０】
すると、図８（Ｄ）に示すように、再度仕上がりプレビュー４０３が表示される。ユーザは、本文４０とステープル３００が重なっていないことを確認してジョブを実行する。
【００９１】
特定動作が行われたと判定されたときに開く設定画面は、ユーザによって任意に設定可能である。
【００９２】
なお、図９は、特定動作が行われた後に、設定キーをユーザが複数本の指でタッチして選択した際に開く設定画面の階層を示すテーブルである。
【００９３】
図９では、最上位の設定画面に表示される設定キーとして、「仕上がり」、「倍率」、「スタンプ」、「スタンプ位置」、「原稿」等が設定されている。また、これら「仕上がり」、「倍率」、「スタンプ」、「スタンプ位置」、「原稿」にそれぞれに対応して、表示される下位階層の画面として、「コーナー位置」、「登録倍率」、「スタンプ位置」、「開き方向」の各設定メニュー画面が設定されている。
【００９４】
「仕上がり」設定キーが押下されると「コーナー位置」の設定画面が、「倍率設定」キーが押下されると「登録倍率」の設定画面が、それぞれ直ちに開かれることになる。
【００９５】
図１０は、「仕上がり」プレビューの実行を特定動作とし、その特定動作の実行の有無の判定結果から次に開く下位層の設定メニュー画面を決定する場合の処理の流れを示すフローチャートである。
【００９６】
図１０において、ステップＳ２１では、最上位階層の画面（ＴＯＰ画面）４００に、実施するジョブについての設定キーが表示される。ステップＳ２２では、ユーザが任意の設定キーをタッチして、最下位階層まで設定を行う。
【００９７】
ステップＳ２３では、階層決定部１２がユーザが設定した項目と、設定値を記憶する。ここでユーザが「仕上がり」プレビューを閲覧する。選択方法判定部１１が特定動作判定部として、ユーザが特定動作である「仕上がり」プレビューを実施したことを判定し、その結果を記憶する。ステップＳ２４では、ユーザが再度、図８の画面４００から設定キーを押下すると、ステップＳ２５に進む。
【００９８】
ステップＳ２５では、ＭＦＰは操作記憶部１４が記憶している情報から特定動作である「仕上がり」プレビューを実施したかを判断し、特定動作を実施したと判定したときは（ステップＳ２５でＹＥＳ）、ステップＳ２６で、選択方法判定部１１が、タッチ操作した設定キーとタッチした指の本数を判定し、その結果を階層決定部１２に通知する。
【００９９】
ユーザが１本の指で設定キーをタッチした場合には、ステップＳ２７では、階層決定部１２が次に開く設定メニュー画面の階層を第一階層目と決定し、決定結果を表示制御部１３に通知する。
【０１００】
また、ユーザが複数本の指で設定キーをタッチした場合には、図９のテーブル参照して次に開く設定メニュー画面の階層を決定し、決定結果を表示制御部１３に通知してから、ステップＳ３５に進む。
【０１０１】
特定動作を実施していない場合（ステップＳ２５でＮＯ）、選択方法判定部１１は、ユーザがタッチした設定キーとタッチした指の本数を判定し、その結果を階層決定部１２に通知する。
【０１０２】
階層決定部１２は、選択方法判定部１１からの結果を受けて、次に開く設定メニュー画面の階層を決定する。ユーザが押下した指の本数が１本ならば、ステップＳ３１では、第一階層目と決定したのちステップＳ３５に進み、２本ならば、ステップＳ３２では、第二階層目と決定したのちステップＳ３５に進み、３本ならば、ステップＳ３３では、第三階層目と決定したのちステップＳ３５に進む。つまり、Ｎ本ならば、ステップＳ３４では、第Ｎ階層目と決定したのちステップＳ３５に進む。
【０１０３】
ステップＳ３５で、表示制御部１３は、階層決定部１２の決定した階層の設定メニュー画面を表示する。
【０１０４】
次に、設定項目がユーザによって過去に設定されていない場合、他の複数のユーザが頻繁に使う機能を候補とし、その設定メニューの階層を次に開く設定メニューの階層として決定する例について、図１１および図１２（Ａ）〜（Ｄ）を参照して説明する。
【０１０５】
ＭＦＰの設定メニュー画面は、ある設定項目が選択された場合、それに応じた設定メニュー画面が開かれるという依存関係がある。例えば、「仕上がり」設定の場合に、ユーザが第一階層目で「ステープル」を選択すると、「仕上がり」＞「ステープル」＞となり、第二階層目のメニューは、「ステープル」設定（「コーナー」、「二点」）となる。
【０１０６】
一方、第一階層目で「折り」を選択したとすると、「仕上がり」＞「折り」＞となり、第二階層目のメニューは「折り」設定（「中折り」、「三つ折り」、「Ｚ折り」）となる。
【０１０７】
ユーザによって、過去に何も設定がなされていない状態で、設定キーが選択されて第二階層目以降が開かれるとした場合、どの項目についての二階層目の画面を開くべきかを判断することができない。
【０１０８】
そこで、他の複数のユーザが表示画面を操作した時に、どの設定キーをタッチしたかの情報を記憶する操作記憶部１４（図２）を備えておく。いずれかのユーザが、過去に設定項目の詳細設定を行っていない状態で設定キーを複数本の指でタッチした場合、階層決定部１２は、前記操作記憶部１４から、設定キーに対する他の複数のユーザ操作の情報を取り出し、複数ユーザが選択した回数が最も多い設定メニュー画面の階層を次に開く設定メニュー画面の階層として決定するようにする。
【０１０９】
具体的には、複数のユーザの操作履歴から設定項目の中で最も多い設定値を、操作記憶部１４が図１１に示すようなテーブルとして記憶・保持するようになっている。
【０１１０】
図１１のテーブルでは、例えば、「仕上がり」という設定項目においては、第一階層では「ステープル」、第二階層では「コーナー」、第三階層では「左上」が最もユーザに選択されていることが分かる。
【０１１１】
ここで、例えば、図１２（Ａ）に示す最上位階層の表示画面１００において、ユーザが「原稿」キー２２を２本指でタッチしたとする。
【０１１２】
前記選択方法判定部１１は、「原稿」キー２２が２本指でタッチされたことを階層決定部１２に通知する。階層決定部１２は、図１１に示すテーブルを参照し、「原稿」という設定項目で最も多い設定値が「原稿」＞「カバー設定」＞「左開き」＞「枠消しＯＮ」＞「消去量：１０ｍｍ」であることを知る。
【０１１３】
前記階層決定部１２は、ユーザが最も多く設定している第二階層が、「カバー設定」の開き方向を設定する画面である「開き方向」の設定メニュー画面と判定し、図１２（Ｂ）に示す画面を次に開く設定メニュー画面５０１の階層として決定して、表示制御部１３に通知する。
【０１１４】
表示制御部１３は、「開き方向」の設定メニュー画面５０１を表示する。この画面５０１では、「開き方向」の設定キーとして「左開き」キー２２０Ａと「右開き」キー２２０Ｂが表示領域２２に表示されている。また、小画面３０には、「左開き」と「右開き」のうちユーザが選択した印刷物の開き位置を示す印４００が表示されている。
【０１１５】
図１３（Ａ）〜（Ｄ）は、ユーザによって過去に設定がなされていない状態で設定キーがタッチされた際、その設定キーに属する全ての下位階層の設定メニュー画面をそれぞれ開くためのキーを表示する場合の説明図である。
【０１１６】
ユーザが図１３（Ａ）に示す最上位階層の設定メニュー画面１００に表示された設定キーのうち例えば「仕上がり」キー２４を選択した際、その設定項目についての詳細設定がユーザによって過去に一度もなされていない場合には、図１３（Ｂ）に示すように、設定項目「仕上がり」に属する全ての下位階層の設定メニュー画面をそれぞれ開くために、各画面で設定される内容を示す名称のキーが表示された画面（設定ジャンプ画面）６０１を表示する。
【０１１７】
なお、ここでは、例えば、「仕上がり種類」キー２４３、「ステープル種類」キー２４４、「パンチ種類」キー２４５、「折り種類」キー２４６、「ステープル位置」キー２４７、「パンチ位置」キー２４８、「折り方向」キー２４９が表示されている。
【０１１８】
具体的には、図１３（Ａ）に示す画面１００において、ユーザが「仕上がり」キー２４を２本指でタッチしたとした場合、「仕上がり」設定の下位階層におけるどの第二階層目を開くべきか判断できない。
【０１１９】
そこで、図１３（Ｂ）に示すように、「仕上がり」設定キーに属する全ての下位階層の設定メニュー画面へそれぞれジャンプするキーを配置した設定ジャンプ画面６０１を表示する。例えば、ユーザが画面６０１において「パンチ位置」２４８をタッチして選択した場合、図１３（Ｃ）に示すように、「パンチ位置」という設定項目２４８に、「左」キー２４８Ａと「右」キー２４８Ｂが配置された設定メニュー画面６０２が表示される。
【０１２０】
なお、「パンチ位置」の設定メニュー画面６０２における小画面３０には、ユーザが選択した「左」キーまたは「右」キーに応じて、印刷物Ｍに対するパンチ位置を示す印５００が表示されている。
【０１２１】
「パンチ」に関する設定メニュー画面は、「仕上がり種類（パンチ）」＞「パンチ種類」＞「パンチ位置」の三階層となっているものとする。「パンチ位置」の設定メニュー画面６０２において、「左」キー２４８Ａが選択された場合、第一階層目の設定項目である仕上がり種類：パンチが決定される。
【０１２２】
次に、第二階層目の「パンチ種類」２４５を設定する必要があるため、パンチ位置の設定メニュー画面６０２を決定した後の次の画面として、図１３（Ｄ）に示すように、第二階層目の「パンチ種類」を設定するための設定メニュー画面６０２が表示される。
【０１２３】
この画面には、ユーザが第二階層目の「パンチ種類」２４５の設定メニュー画面６０２で「二点」キー２４５Ａ、「四点」キー２４５Ｂが表示されており、ユーザが「二点」キー２４５Ａをタッチして選択することにより、「仕上がり」＞「パンチ」＞「二点」が設定されて、印刷物Ｍの左が二点でパンチされることになる。
【０１２４】
次に、ユーザによって設定キーがタッチされた時に、選択方法判定部１１によって判定された指の数よりも設定メニュー画面の階層の数が少ない場合に、階層決定部１２が設定メニュー画面の最下位階層を次に開く設定メニュー画面の階層として決定する場合について説明する。
【０１２５】
例えば、「カラー設定」＞「二色カラー」＞「赤＋黒」のように、最上位階層の設定メニュー画面とその下位の「二色カラー」の設定を行うためのメニュー設定画面で構成される場合に、ユーザが３本指で「カラー」キーをタッチしたとする。
【０１２６】
選択方法判定部１１は、最上位階層の設定メニュー画面において「カラー」キーがタッチされたことと、３本の指でタッチされたことを階層決定部１２に通知する。階層決定部１２は、３本指であるが「カラー」の設定メニュー画面が三階層目までは存在しないことから、次に開く設定メニュー画面の階層として、「カラー」設定の最下位層である「二色カラー」の設定メニュー画面を決定し、決定結果を表示制御部１３に通知する。
【０１２７】
表示制御部１３は、階層決定部１２からの結果を受け、「二色カラー」における２色を設定するための設定メニュー画面を表示する。
【符号の説明】
【０１２８】
５        操作パネル部
１１      選択方法判定部（特定動作判定部）
１２      階層決定部
１３      表示制御部
１４      操作記憶部
５２      表示部（タッチパネル）
１００（４００）    メニュー設定画面
４０１，４０３      「仕上がり」プレビュー表示画面
【図１】
2013232120.tif 000003
【図２】
2013232120.tif 000004
【図３】
2013232120.tif 000005
【図４】
2013232120.tif 000006
【図５】
2013232120.tif 000007
【図６】
2013232120.tif 000008
【図７】
2013232120.tif 000009
【図８】
2013232120.tif 000010
【図９】
2013232120.tif 000011
【図１０】
2013232120.tif 000012
【図１１】
2013232120.tif 000013
【図１２】
2013232120.tif 000014
【図１３】
2013232120.tif 000015